(57)【要約】【課題】良好な白補正を白基準板を切り換えることなしに実現する。【解決手段】視光線及び可視光線よりも波長が短い不可視光線を含む光を照射する照射部と、不可視光線を吸収して蛍光する蛍光領域、及び不可視光線を反射する非蛍光領域が設けられて光を反射する基準板と、基準板及び読取対象が反射する光をそれぞれ電気信号に変換するセンサと、基準板が反射する不可視光線をセンサに対して遮断するフィルタと、蛍光領域が反射した光をセンサが変換した電気信号、及び非蛍光領域が反射した光をセンサが変換した電気信号に基づいて、照射部の光量を補正する演算処理を行う処理部とを有する。【選択図】図２
2013258496.tif 000002
【特許請求の範囲】
【請求項１】
可視光線及び前記可視光線よりも波長が短い不可視光線を含む光を照射する照射部と、
前記不可視光線を吸収して蛍光する蛍光領域、及び前記不可視光線を反射する非蛍光領域が設けられて前記光を反射する基準板と、
前記基準板及び読取対象が反射する前記光をそれぞれ電気信号に変換するセンサと、
前記基準板が反射する前記不可視光線を前記センサに対して遮断するフィルタと、
前記蛍光領域が反射した前記光を前記センサが変換した電気信号、及び前記非蛍光領域が反射した前記光を前記センサが変換した電気信号に基づいて、前記照射部の光量を補正する演算処理を行う処理部と、
を有する画像読取装置。
【請求項２】
前記蛍光領域及び前記フィルタは、
前記読取対象を主走査方向に読取る読取領域に設けられ、
前記非蛍光領域は、
前記基準板の主走査方向に延びる前記読取領域外に設けられていること
を特徴とする請求項１に記載の画像読取装置。
【請求項３】
前記照射部は、
前記基準板の一端側に設けられ、前記光を発光する光源と、
前記光が前記基準板及び前記読取対象に照射されるように、前記光源が発光した前記光を導く導光部と、
を有し、
前記非蛍光領域は、
前記蛍光領域よりも前記基準板の他端側に設けられていること
を特徴とする請求項２に記載の画像読取装置。
【請求項４】
前記蛍光領域及び前記非蛍光領域は、
主走査方向に交互に並ぶようにそれぞれ複数設けられていること
を特徴とする請求項１に記載の画像読取装置。
【請求項５】
前記基準板が反射した前記光を前記センサに結像させるレンズをさらに有し、
前記基準板は、
前記レンズの焦点位置からずれた位置に配置されていること
を特徴とする請求項４に記載の画像読取装置。
【請求項６】
可視光線及び前記可視光線よりも波長が短い不可視光線を含む光を照射する照射部と、
前記不可視光線を吸収して蛍光する蛍光領域、及び前記不可視光線を反射する非蛍光領域が設けられて前記光を反射する基準板と、
前記基準板及び読取対象が反射する前記光をそれぞれ電気信号に変換するセンサと、
前記基準板が反射する前記不可視光線を前記センサに対して遮断するフィルタと、
前記蛍光領域が反射した前記光を前記センサが変換した電気信号、及び前記非蛍光領域が反射した前記光を前記センサが変換した電気信号に基づいて、前記照射部の光量を補正する演算処理を行う処理部と、
前記読取対象が反射する前記光を前記センサが変換した電気信号、及び前記処理部の演算処理結果に基づいて、画像を形成する画像形成部と、
を有する画像形成装置。
【請求項７】
可視光線よりも波長が短い不可視光線を吸収して蛍光する蛍光領域、及び前記不可視光線を反射する非蛍光領域が設けられて光量を補正する基準となる基準板に対し、可視光線及び前記不可視光線を含む光を照射する工程と、
前記基準板が反射する前記不可視光線を遮断して、前記基準板が反射する前記光を電気信号に変換する工程と、
前記蛍光領域が反射した前記光を変換した電気信号、及び前記非蛍光領域が反射した前記光を変換した電気信号に基づいて、前記基準板に照射した前記光の光量を補正する演算処理を行う工程と、
読取対象が反射する前記光を変換した電気信号及び前記演算処理結果に基づいて画像データを生成する工程と、
を含むことを特徴とする画像読取り方法。
【発明の詳細な説明】
【技術分野】
【０００１】
本発明は、画像読取装置、画像形成装置及び画像読取り方法に関する。
【背景技術】
【０００２】
従来、読取対象の用紙に形成された画像に蛍光する蛍光領域が含まれていることがある。画像の蛍光領域は、例えば蛍光ペンなどにより形成される。また、用紙の黄ばみなどを目立たなくするために、紫外線を吸収して蛍光する蛍光材を用いた用紙も知られている。そして、画像に含まれる蛍光領域を判別する技術もいくつか知られている。
【０００３】
例えば、特許文献１には、青色光が照射されたときの緑色センサの出力に基づいて、イエローやグリーンの蛍光領域を判別するなどの、光源の色とイメージセンサの色との組合せにより、原稿に形成された蛍光領域を判別する画像読取装置が開示されている。また、特許文献１には、光源の主走査方向における輝度分布や撮像センサの各撮像素子のばらつきの影響を低減するための蛍光画像データのシェーディング補正が開示されている。
【発明の概要】
【発明が解決しようとする課題】
【０００４】
しかしながら、蛍光領域の蛍光基準とする蛍光基準板と、白色基準とする白基準板とが副走査方向に隣接して設置され、蛍光基準を設定する場合及び白基準を設定する場合には、蛍光基準板及び白基準板を移動させて切り換えなければならないという問題があった。
【０００５】
本発明は、上記に鑑みてなされたものであって、良好な白補正を白基準板を切り換えることなしに実現することを目的とする。
【課題を解決するための手段】
【０００６】
上述した課題を解決し、目的を達成するために、本発明は、可視光線及び前記可視光線よりも波長が短い不可視光線を含む光を照射する照射部と、前記不可視光線を吸収して蛍光する蛍光領域、及び前記不可視光線を反射する非蛍光領域が設けられて前記光を反射する基準板と、前記基準板及び読取対象が反射する前記光をそれぞれ電気信号に変換するセンサと、前記基準板が反射する前記不可視光線を前記センサに対して遮断するフィルタと、前記蛍光領域が反射した前記光を前記センサが変換した電気信号、及び前記非蛍光領域が反射した前記光を前記センサが変換した電気信号に基づいて、前記照射部の光量を補正する演算処理を行う処理部と、を有する。
【０００７】
また、本発明は、可視光線及び前記可視光線よりも波長が短い不可視光線を含む光を照射する照射部と、前記不可視光線を吸収して蛍光する蛍光領域、及び前記不可視光線を反射する非蛍光領域が設けられて前記光を反射する基準板と、前記基準板及び読取対象が反射する前記光をそれぞれ電気信号に変換するセンサと、前記基準板が反射する前記不可視光線を前記センサに対して遮断するフィルタと、前記蛍光領域が反射した前記光を前記センサが変換した電気信号、及び前記非蛍光領域が反射した前記光を前記センサが変換した電気信号に基づいて、前記照射部の光量を補正する演算処理を行う処理部と、前記読取対象が反射する前記光を前記センサが変換した電気信号、及び前記処理部の演算処理結果に基づいて、画像を形成する画像形成部と、を有する。
【０００８】
また、本発明は、可視光線よりも波長が短い不可視光線を吸収して蛍光する蛍光領域、及び前記不可視光線を反射する非蛍光領域が設けられて光量を補正する基準となる基準板に対し、可視光線及び前記不可視光線を含む光を照射する工程と、前記基準板が反射する前記不可視光線を遮断して、前記基準板が反射する前記光を電気信号に変換する工程と、前記蛍光領域が反射した前記光を変換した電気信号、及び前記非蛍光領域が反射した前記光を変換した電気信号に基づいて、前記基準板に照射した前記光の光量を補正する演算処理を行う工程と、読取対象が反射する前記光を変換した電気信号及び前記演算処理結果に基づいて画像データを生成する工程と、を含むことを特徴とする。
【発明の効果】
【０００９】
本発明によれば、良好な白補正を白基準板を切り換えることなしに実現することができるという効果を奏する。
【図面の簡単な説明】
【００１０】
【図１】図１は、実施の形態にかかる画像形成装置の構成を示す正面概略構成図である。
【図２】図２は、読取部及びその周辺の構成を示す構成図である。
【図３】図３は、白補正を行う画像読取装置の動作を示すフローチャートである。
【図４】図４は、光源の各ＬＥＤの照射タイミングと、センサの駆動タイミングを示すタイミングチャートである。
【図５】図５は、画像形成装置の動作例を示すフローチャートである。
【図６】図６は、読取部の第１の変形例の構成を示す構成図である。
【図７】図７は、読取部の第２の変形例の構成を示す構成図である。
【図８】図８は、読取部の第３の変形例の構成を示す構成図である。
【発明を実施するための形態】
【００１１】
以下に添付図面を参照して、画像形成装置の実施の形態を詳細に説明する。図１は、実施の形態にかかる画像形成装置１の構成を示す正面概略構成図である。図１に示すように、画像形成装置１は、本体筐体２に、給紙部３、搬送部４、画像形成部５、定着部６、排紙部７及び画像読取装置８等が設けられている。また、画像形成装置１は、さらに、手差しトレイ１０、原稿台１１、排紙トレイ１２、操作部及び制御部（図示せず）等が設けられている。操作部はユーザインターフェイスであり、制御部はコンピュータとしての機能を有する。
【００１２】
給紙部３には、複数の用紙Ｐがセットされ、搬送部４は、レジストローラ２１等を備える。給紙部３は、レジストローラ２１により用紙Ｐのタイミング調整を行い、用紙Ｐを画像形成部５に搬送する。また、搬送部４は、手差しトレイ１０上にセットされた用紙Ｐに対しても、レジストローラ２１によりタイミング調整を行い、画像形成部５に搬送する。
【００１３】
画像形成部５は、図１における反時計方向に回転駆動される感光体２２を中心として、帯電部、光書き込み部２３、現像部、転写部、クリーニング部等を備えている。帯電部は、感光体２２を一様に帯電（例えば、−１２００Ｖに帯電）させる。画像形成部５は、帯電部により一様に帯電された感光体２２に対し、画像読取装置８が読み取った原稿の画像データに基づいて点灯制御する光を光書き込み部２３が照射することにより、光が照射された感光体２２の表面の電荷を消滅させて静電潜像を形成する。そして、画像形成部５は、静電潜像が形成された感光体２２に現像部がトナーを付着させることによりトナー画像を形成する。
【００１４】
画像形成部５は、感光体２２上に形成したトナー画像を、給紙部３から搬送されてきた用紙Ｐに転写部で転写し、転写の完了した用紙Ｐを分離チャージャにより分離して定着部６に搬送する。また、画像形成部５は、転写の完了した感光体２２上の残留トナーをクリーニング部でクリーニングし、クリーニングされた感光体２２を除電部で除電した後、帯電部で一様に帯電させて、再度、画像形成を行う。
【００１５】
画像形成装置１は、本体筐体２の背面側に紙折り装置３０が連結されている。紙折り装置３０は、画像形成済みの用紙Ｐに対して、端面折りやジャバラ状折り等の折処理を行う。紙折り装置３０は、本体筐体２との連結部３１、用紙Ｐの耳を折る耳折り部３２、用紙Ｐを搬送方向にジャバラ状に折るジャバラ折り部３３、搬送方向を９０°変更する搬送切り換え装置３４、クロス折り装置（図示せず）、表裏を反転させる反転装置３５、用紙Ｐを９０°回転させて、例えばＡ４横をＡ４縦に切り替える回転装置３６及び折られた用紙Ｐを排出しスタックするトレイ３７等を備えている。
【００１６】
画像形成装置１は、画像形成部５が画像形成を行い、定着部６が画像を定着させた用紙Ｐを、排紙部７により紙折り等の後処理を行う場合は紙折り装置３０へ排出し、紙折りを行わない場合は、図示しない切り換え爪により排紙トレイ１２へ排出する。
【００１７】
紙折り装置３０は、画像形成された用紙Ｐに対し、耳折りする場合は耳折り部３２により用紙Ｐの角部を折り、その後、ジャバラ折り部３３によりジャバラ状に折りを施して、搬送切り換え装置３４への搬送を行う。折り装置３０は、搬送切り換え装置３４により、送り込まれてきた用紙Ｐの搬送方向を切り換えて、ジャバラ折りされた用紙Ｐの短手方向をクロス折り装置によって折り、反転装置３５により用紙Ｐの表裏を反転させ、さらに、用紙方向を回転装置で回転させて、トレイ３７上に用紙Ｐをスタックする。
【００１８】
上述した画像読取装置８は、原稿の搬送方向（副走査方向）に対して手前側に位置する前ローラ対４１、読取部４２及び後ローラ対４３等を備えている。前ローラ対４１には、原稿台１１から該原稿台１１上にセットされた複数枚の原稿が１枚ずつ分離されて送り出されてくる。前ローラ対４１は、読取部４２へ原稿を搬送する。読取部４２は、搬送された原稿を読取る。後ローラ対４３は、読取部４２が読取った原稿を排出する。
【００１９】
次に、読取部４２及びその周辺について詳述する。図２は、読取部４２及びその周辺の構成を示す構成図である。図２に示すように、読取部４２は、照射部５０、基準板５１、フィルタ５２、等倍レンズ５３及びセンサ５４を有する。つまり、読取部４２は、コンタクトイメージセンサを用いて構成されてもよい。
【００２０】
照射部５０は、光源５５及び導光部５６を有する。光源５５は、赤色（Ｒ）、緑色（Ｇ）、青色（Ｂ）の三原色の光をそれぞれ同等に発光する３つのＬＥＤ（Light  Emitting  Diode）と、紫外光（Ｘ）を発光するＬＥＤとを有するいわゆるマルチチップ方式の発光素子である。光源５５は、図示しない制御部の制御に応じて各ＬＥＤが独立して発光可能にされており、導光部５６に対して発光する。つまり、光源５５は、可視光線（可視光）及び紫外線（紫外光）を含む光を発光する。なお、光源５５は、紫外ＬＥＤとＲＧＢ蛍光体とを組み合わせたシングルチップ方式の構成であってもよいし、紫外線以外の可視光線よりも波長が短い不可視光線を含む光を発光するものであってもよい。導光部５６は、光源５５が発光した光を主走査方向（矢印Ａの方向）に向けて導くことにより、光源５５が発光した光を基準板５１に照射する。
【００２１】
基準板５１は、読取対象を読取る読取領域に蛍光材が塗布された蛍光領域５７と、蛍光材が塗布されていない非蛍光領域５８とが設けられた主走査方向に延びる白基準板であり、照射部５０が照射した光を反射する。読取領域は、上述した前ローラ対４１及び後ローラ対４３などによって基準板５１の上面側を副走査方向（主走査方向に略直交する方向）に搬送される原稿（読取対象）を読取部４２が読取る領域であり、基準板５１の中央部分に設定されている。
【００２２】
蛍光領域５７は、紫外線が照射されると、蛍光材が紫外線（紫外光）を吸収することによって基底状態から励起状態に移行し、基底状態に戻るときに吸収した紫外線よりも波長の長い光（青色などの可視光線）を発光することにより蛍光する。非蛍光領域５８は、基準板５１の両端部に設けられ、照射部５０が照射した光を反射する。
【００２３】
フィルタ５２は、主走査方向の長さが蛍光領域５７と略同じにされており、蛍光領域５７と等倍レンズ５３との間に配置されて、青色（Ｂ）の光よりも波長が短い光を遮断する。即ち、フィルタ５２は、等倍レンズ５３（センサ５４）に対し、照射部５０が照射して基準板５１が反射した紫外光（Ｘ）を遮断する。
【００２４】
等倍レンズ５３は、複数のレンズが主走査方向に配列されたレンズアレイであり、読取対象（又は基準板５１）からの反射光をセンサ５４に結像させる。センサ５４は、複数のＣＣＤ（Charge  Coupled  Device）などの固体撮像素子が主走査方向に配列されたラインセンサであり、等倍レンズ５３を介して読取対象（又は基準板５１）からの反射光を受光し、電気信号に変換する。また、センサ５４は、変換した電気信号を図示しないＡ／Ｄ変換器等を介して処理部５９に対して出力する。処理部５９は、照射部５０の光量を補正する後述の演算処理を行う。
【００２５】
このように、読取部４２は、フィルタ５２及び蛍光領域５７の主走査方向の長さが、センサ５４及び等倍レンズ５３の主走査方向の長さよりも短くされている。
【００２６】
次に、画像読取装置８の白補正について説明する。照明により紫外領域の分布は異なるため、見た目と読取画像の色味や明るさを合わせるためには、紫外領域のＬＥＤの光量を調整することにより、蛍光による光量を制御する必要がある。
【００２７】
一般に、画像読取装置では、光源の光量バラツキ（明るい素子と暗い素子のバラツキ）や光源の経時変化（ＬＥＤは寿命で光量が低下、蛍光灯は低温で光量が低下）や光源から原稿を照らす照度の分布のバラツキ（導光体や拡散板などでできるだけ均等になるようにしているが、均等にしきれないバラツキ）がある。画像読取装置は、濃度や色が均一な白基準板を用いて、白基準板に光を照射したときの反射光を読み取ることによりバラツキを取得する。そして、画像読取装置は、取得したデータを用いて通常の読取データを補正することにより、バラツキに影響されない画像読取を実現している。その他に、画像読取装置は、読取センサ素子間の感度バラツキや原稿の像を読取センサへ結像するレンズによる光量バラツキを補正するためにも白基準板での補正を活用している。実施の形態においては、センサ５４の素子間の感度バラツキや原稿の像をセンサ５４へ結像する等倍レンズ５３による光量バラツキに対し、別途の補正処理を行うこととする。
【００２８】
図３は、白補正（シェーディング補正）を行う画像読取装置８の動作を示すフローチャートである。画像読取装置８は、電源オン時又は原稿読取前に白レベル調整（白補正）を行う。図３に示すように、ステップ１００（Ｓ１００）において、画像読取装置８は、黒レベル調整を行う。黒レベル調整において、画像読取装置８は、光源５５（ＬＥＤ）をオフにして、センサ５４の黒レベルをセンサ画素単位で取得（黒レベル補正値として保存）する。
【００２９】
ステップ１０２（Ｓ１０２）において、画像読取装置８は、白レベル調整を行う。白レベル調整において、画像読取装置８は、光源５５の各ＬＥＤを図４に示すように順次に点灯させ、基準板５１からの反射光をセンサ５４により電気信号に変換する。図４は、光源５５の各ＬＥＤの照射タイミングと、センサ５４の駆動タイミングを示すタイミングチャートである。図４に示すように、画像読取装置８は、ＲＧＢの各色及びＸ（紫外光）のＬＥＤを順次に切替えて照射させて、ＲＧＢの反射光をセンサ５４に受光させる。センサ５４は、各画素毎に受光によって蓄積した電荷を基準信号（Ｃｌｏｃｋ）に同期させて出力する。そして、画像読取装置８は、センサ５４を介して入力された各ＬＥＤの光量が図示しないＡ／Ｄ変換器の入力上限より低い値になるように点灯時間などを調整し、ＲＧＢの各色及びＸ（紫外光）のＬＥＤそれぞれの調整した後の白レベルをセンサ画素単位で取得（白レベル補正値として保存）する。
【００３０】
ステップ１０４（Ｓ１０４）において、画像読取装置８は、各ＬＥＤをオフにする。各ＬＥＤに対して調整した白レベルは、処理部５９が補正値として用いる。
【００３１】
次に、処理部５９が行う演算処理について説明する。基準板５１の読取領域に該当する領域（蛍光領域５７）には紫外光を吸収して青色に蛍光する蛍光材が塗布されているので、光源５５のＬＥＤ（Ｘ）をオンにすることによって蛍光領域５７は青色に蛍光する。読取領域の紫外光はフィルタ５２でカットされるため、蛍光した青色の光がセンサ５４に受光される。ただし、読取領域外（非蛍光領域５８）には蛍光材が塗布されておらず、等倍レンズ５３に対してフィルタ５２が設けられていない領域は、蛍光しないため、紫外光がセンサ５４に受光される。
【００３２】
従って、画像読取装置８は、光源５５の光量バラツキ（明るい素子と暗い素子のバラツキ）や光源５５から原稿を照らす照度の分布のバラツキを、基準板５１の蛍光領域５７を用いて取得することができる。また、画像読取装置８は、光源５５の経時変化（ＬＥＤは寿命で光量が低下、蛍光灯は低温で光量が低下）を蛍光材が塗布されていない領域（非蛍光領域５８）が反射する反射光によって取得することができる。そして、画像読取装置８は、読取領域（蛍光領域５７）の取得データを、読取領域外（非蛍光領域５８）の取得データを用いて補正することにより、良好な紫外光源の補正データを得ることができる。なお、紫外光以外の光（可視光線）は、蛍光材とフィルタ５２の有無に関係なく、センサ５４に受光される。処理部５９は、紫外光源の補正データを用いて、照射部５０の光量を以下のように補正する演算処理を行う。
【００３３】
例えば、画像読取で取得される読取データ（１０ｂｉｔ）をＳ０（ｎ，ｍ）、黒レベル調整で取得された黒レベル補正値をＳｋ（ｍ）、暗い方を０、明るい方を１０２３とする。ただし、ｎは副走査ライン番号を示し、ｍは主走査画素番号を示すこととする。ここで、黒補正を施した画像データＳ１（ｎ，ｍ）は下式１〜３により算出される。なお、各画像データにおいて、赤色、緑色、青色及び紫外光のいずれに対応するデータであるかを区別する場合には、画像データの名称にｒ、ｇ、ｂ、ｘのいずれかを含ませて区別可能にしてある。
【００３４】
青色：Ｓｂ１（ｎ，ｍ）＝Ｓｂ０（ｎ，ｍ）−Ｓｋ（ｍ）      ・・・（１）
緑色：Ｓｇ１（ｎ，ｍ）＝Ｓｇ０（ｎ，ｍ）−Ｓｋ（ｍ）      ・・・（２）
赤色：Ｓｒ１（ｎ，ｍ）＝Ｓｒ０（ｎ，ｍ）−Ｓｋ（ｍ）      ・・・（３）
【００３５】
また、白レベル調整で取得された白レベル補正値をＳｗ（ｍ）とする。ここで、白補正を施した画像データＳ２（ｎ，ｍ）は下式４〜６により算出される。
【００３６】
青色：Ｓｂ２（ｎ，ｍ）＝Ｓｂ１（ｎ，ｍ）÷１０２３×Ｓｂｗ（ｍ）
・・・（４）
緑色：Ｓｇ２（ｎ，ｍ）＝Ｓｇ１（ｎ，ｍ）÷１０２３×Ｓｇｗ（ｍ）
・・・（５）
赤色：Ｓｒ２（ｎ，ｍ）＝Ｓｒ１（ｎ，ｍ）÷１０２３×Ｓｒｗ（ｍ）
・・・（６）
【００３７】
また、紫外光の白レベル調整で取得した読取領域（蛍光領域５７）の白レベル補正値をＳｘｗ０（ｍ）とする。また、紫外光の白レベル調整で取得した読取領域外（非蛍光領域５８）の白レベル補正値をＳｘｗ（ｍｉ）とする。ただし、ｍｉは主走査画素番号の読取領域外の番号とする。
【００３８】
ここで、ある時点でのＳｘｗ（ｍｉ）の複数画素の平均値Ｓｘｗ（ｍｉａ０）と、その次の時点でのＳｘｗ（ｍｉ）の複数画素の平均値Ｓｘｗ（ｍｉａ１）とを用いて、読取領域（蛍光領域５７）の白レベル補正値をＳｘｗ０（ｍ）を下式７に示すように補正する。なお、下式７において、補正後の白レベル補正値をＳｘｗ１（ｍ）とする。また、白補正を施した紫外光の画像データＳｘ２（ｎ，ｍ）は下式８により算出される。
【００３９】
Ｓｘｗ１（ｍ）＝Ｓｘｗ０（ｍ）×Ｓｘｗ（ｍｉａ１）÷Ｓｘｗ（ｍｉａ０）
・・・（７）
紫外光：Ｓｘ２（ｎ，ｍ）＝Ｓｘ１（ｎ，ｍ）÷１０２３×Ｓｘｗ１（ｍ）
・・・（８）
【００４０】
紫外光の読取データは、蛍光する青色の読取データと合わせることにより、見た目と同じとなる。よって、青色の黒補正と白補正では、さらに下式９，１０による補正がなされる。
【００４１】
Ｓｂ１（ｎ，ｍ）＝Ｓｂ０（ｎ，ｍ）−Ｓｋ（ｍ）          ・・・（９）
Ｓｂ２（ｎ，ｍ）＝Ｓｂ１（ｎ，ｍ）÷１０２３×Ｓｂｗ（ｍ）＋Ｓｘ２（ｎ，ｍ）
・・・（１０）
【００４２】
次に、画像形成装置１の動作について説明する。図５は、画像形成装置１の動作例を示すフローチャートである。図５に示すように、ステップ２００（Ｓ２００）において、画像形成装置１は、例えば電源オン時又は原稿読取前に、照射部５０が基準板５１に光を照射する。
【００４３】
ステップ２０２（Ｓ２０２）において、センサ５４は、基準板５１からの反射光を電気信号に変換する。
【００４４】
ステップ２０４（Ｓ２０４）において、処理部５９は、センサ５４が変換した電気信号に応じて、照射部５０の光量を補正する上述した演算処理を行う。
【００４５】
ステップ２０６（Ｓ２０６）において、画像形成装置１は、Ｓ２０４の演算処理の結果を図示しない記憶部に記憶する。
【００４６】
ステップ２０８（Ｓ２０８）において、画像形成装置１は、照射部５０が原稿などの読取対象に光を照射する。
【００４７】
ステップ２１０（Ｓ２１０）において、センサ５４は、読取対象からの反射光を電気信号に変換する。
【００４８】
ステップ２１２（Ｓ２１２）において、画像形成装置１は、Ｓ２０６の処理で記憶した演算結果を用いて、Ｓ２１０の処理で変換した電気信号から生成される画像データを補正することにより、照射部５０の光量補正を適用した画像データ（画像）を生成する。
【００４９】
（読取部４２の第１の変形例）
次に、読取部４２の第１の変形例について説明する。図６は、読取部４２の第１の変形例の構成を示す構成図である。なお、図６に示した読取部４２の第１の変形例において、図２に示した読取部４２の構成部分と実質的に同一のものには、同一の符号が付してある。読取部４２の第１の変形例において、非蛍光領域５８は、基準板５１の反光源５５側にのみ設けられている。つまり、非蛍光領域５８は、蛍光領域５７よりも光源５５から遠い位置に設けられている。
【００５０】
つまり、読取部４２の第１の変形例では、読取領域を含む蛍光領域５７よりも光源５５から離れた位置で非蛍光領域５８からの反射光をセンサ５４が受光するので、読取領域よりも少ない照射光の非蛍光領域５８による反射光に応じて、照射部５０の光量を補正する演算処理を行うことができる。従って、読取データのＳ／Ｎ比を高くすることができ、品質の高い画像を形成することが可能になる。
【００５１】
（読取部４２の第２の変形例）
次に、読取部４２の第２の変形例について説明する。図７は、読取部４２の第２の変形例の構成を示す構成図である。なお、図７に示した読取部４２の第２の変形例において、図２に示した読取部４２の構成部分と実質的に同一のものには、同一の符号が付してある。読取部４２の第２の変形例において、非蛍光領域５８は、読取領域においても主走査方向に蛍光領域５７と交互に並ぶように設けられている。
【００５２】
読取部４２の第２の変形例では、主走査方向に蛍光領域５７と非蛍光領域５８とが交互に並べられているので、消光を避けることができる。例えば、蛍光領域５７及び非蛍光領域５８がそれぞれ所定の幅を有するため、紫外線の白レベル補正値は相対的に大きい値と小さい値とに分かれるが、所定の幅の明るい部分と暗い部分の各々のピーク値を結ぶ２つの直線から、２つの紫外線の白レベル補正値を得ることができる。従って、消光を避けて蛍光領域５７及び非蛍光領域５８から、良好な白レベル補正値を得ることができる。
【００５３】
（読取部４２の第３の変形例）
次に、読取部４２の第３の変形例について説明する。図８は、読取部４２の第３の変形例の構成を示す構成図である。なお、図８に示した読取部４２の第３の変形例において、図７に示した読取部４２の第２の変形例の構成部分と実質的に同一のものには、同一の符号が付してある。読取部４２の第３の変形例は、基準板５１の位置が等倍レンズ５３の焦点位置からずれている点が読取部４２の第２の変形例とは異なる。
【００５４】
読取部４２の第３の変形例では、読取部４２の第２の変形例の効果に加えて、紫外線の白レベル補正値の主走査方向の変動を滑らかにすることができる。
【００５５】
このように、画像形成装置１は、蛍光領域５７により蛍光材の経時変動を含む白基準板の読取データを取得し、非蛍光領域５８により光源５５の経時変化データを取得することができ、これらのデータを用いて蛍光材の経時変動を含まない読取データを算出することができる。
【００５６】
なお、上記実施の形態では、本発明の画像形成装置１をコピー機能、プリンタ機能、スキャナ機能及びファクシミリ機能のうち少なくとも２つの機能を有する複合機に適用した例を挙げて説明したが、複写機、スキャナ装置、ファクシミリ装置等の画像読取装置を備える画像形成装置であれば、いずれにも適用することができる。
【符号の説明】
【００５７】
１  画像形成装置
２  本体筐体
３  給紙部
４  搬送部
５  画像形成部
６  定着部
７  排紙部
８  画像読取装置
１１  原稿台
１２  排紙トレイ
４１  前ローラ対
４２  読取部
４３  後ローラ対
５０  照射部
５１  基準板
５２  フィルタ
５３  等倍レンズ
５４  センサ
５５  光源
５６  導光部
５７  蛍光領域
５８  非蛍光領域
５９  処理部
【先行技術文献】
【特許文献】
【００５８】
【特許文献１】特開２０１０−２７３３０１号公報
【図１】
2013258496.tif 000003
【図２】
2013258496.tif 000004
【図３】
2013258496.tif 000005
【図４】
2013258496.tif 000006
【図５】
2013258496.tif 000007
【図６】
2013258496.tif 000008
【図７】
2013258496.tif 000009
【図８】
2013258496.tif 000010